(57)【要約】【課題】本発明は電気掃除機用の吸込具において、吸込具の前隅における塵埃を吹き飛ばすことなく効率よく集塵することできる電気掃除機を提供する。【解決手段】前記吸込具の内部に形成される吸込室９と、吸込室９の内側前壁に回転半径が近接する位置に回転自在に設けられた回転ブラシ１０と、吸込具１の上部と吸込室９との間に設けられた風路１３と、風路１３は吸込具１に対して吸込室９の前方部分かつ回転ブラシ１０の回転中心より前方で開口した開口部１４と後方で吸込具１の外部と連通させる開口１５とからなり、開口１５には密閉、開放自在に可動する調整弁１６を構成したことにより、回転ブラシ１０が機械力で前隅の塵埃を外側に吹き飛ばす作用を開口部１４からの外気導入風の気流が搬送気流となって塵埃の吹き飛ばしを防ぐことができ、効率よく集塵することができる。【選択図】図１
2008086549.tif 000002
【特許請求の範囲】
【請求項１】
電気掃除機用の吸込具と、前記吸込具の底面には下方に開口する吸込口と、前記吸込具の内部に形成される吸込室と、前記吸込口に臨み、かつ前記吸込室の内側前壁に回転半径が近接する位置に回転自在に設けられた回転ブラシと、前記吸込具の後方部かつ長手方向の略中方付近に設けられたパイプと、前記吸込具の上部と前記吸込室との間に設けられた風路と、前記風路は前記吸込具に対して前記吸込室の前方部分かつ前記回転ブラシの回転中心より前方で開口した開口部と後方部分では吸込具の外部と連通させる開口とからなり、前記開口には密閉、開放自在に可動する調整弁を構成した電気掃除機用吸込具。
【請求項２】
開口部を複数個設け、前記開口部にそれぞれ導入できるように風路を分割して構成した請求項１記載の電気掃除機用吸込具。
【請求項３】
風路の縦断面の形状を吸込具の前方に向かうにつれて狭まるように構成した請求項１または２記載の電気掃除機用吸込具。
【請求項４】
掃除機本体が内蔵する吸引風を発生する電動送風機に連通する、請求項１〜３のいずれか１項に記載の電気掃除機用吸込具を備えた電気掃除機。
【発明の詳細な説明】
【技術分野】
【０００１】
本発明は、電気掃除機用吸込具およびそれを用いた電気掃除機に関するものであり、特に前側隅部におけるゴミ取れ性能に関するものである。
【背景技術】
【０００２】
従来のこの種の電気掃除機用吸込具として、図４に示すように連通管１７を介して掃除機本体と接続する吸込具本体１８と、前記吸込具本体１８の底面前方に形成され前記連通管１７と連通する吸込口１９と、前記吸込口１９の近傍に配置され、上部に空気取入口を有し、清掃面側に噴出口を有する通風路２０とを備える電気掃除機用吸込具において、前記通風路２０はその横断面積が前記噴出口に向かって徐々に狭まるように構成されているものがある（例えば、特許文献１参照）。
【特許文献１】特開平１１−８９７６７号公報
【発明の開示】
【発明が解決しようとする課題】
【０００３】
しかしながら上記従来の電気掃除機用吸込具では、噴射口により床面に近接した部分に空気を当てる構成なので、噴射口から噴出された空気により塵埃が飛び散り、吸引風によって集塵できないものを撒き散らしてしまうという課題があった。
【課題を解決するための手段】
【０００４】
本発明は上記課題を解決するため電気掃除機用の吸込具と、前記吸込具の底面には下方に開口する吸込口と、前記吸込具の内部に形成される吸込室と、前記吸込口に臨み、かつ前記吸込室の内側前壁に回転半径が近接する位置に回転自在に設けられた回転ブラシと、前記吸込具の後方部かつ長手方向の略中方付近に設けられたパイプと、前記吸込具の上部と前記吸込室との間に設けられた風路と、前記風路は前記吸込具に対して前記吸込室の前方部分かつ前記回転ブラシの回転中心より前方で開口した開口部と後方部分では吸込具の外部と連通させる開口とからなり、前記開口には密閉、開放自在に可動する調整弁を構成した電気掃除機用吸込具としたものである。
【０００５】
上記発明によれば隅にある塵埃を前内壁際まで設けた回転ブラシにより機械的に除去するとともに、吸込室内部の負圧力により開口に設けた調整弁の開放量を調整することで、風路前方の開口部から吸込室内に導入される外気風量を調整し、吸込具が隅部に当接したときに高まる負圧力によって外気風量を上昇させて、回転ブラシの機械力とともに前隅の塵埃を吹飛ばす心配なく前側の塵埃を効率よく集塵することができる。
【発明の効果】
【０００６】
本発明は、隅にある塵埃を前内壁際まで設けた回転ブラシにより機械的に除去するとともに、吸込室内部の負圧力により開口に設けた調整弁の開放量を調整することで、風路前方の開口部から吸込室内に導入される外気風量を調整し、吸込具が隅部に当接したときに高まる負圧力によって外気風量を上昇させて、回転ブラシの機械力とともに前隅の塵埃を吹飛ばす心配なく前側の塵埃を効率よく集塵することができる。
【発明を実施するための最良の形態】
【０００７】
第１の発明は、電気掃除機用の吸込具と、前記吸込具の底面には下方に開口する吸込口と、前記吸込具の内部に形成される吸込室と、前記吸込口に臨み、かつ前記吸込室の内側前壁に回転半径が近接する位置に回転自在に設けられた回転ブラシと、前記吸込具の後方部かつ長手方向の略中方付近に設けられたパイプと、前記吸込具の上部と前記吸込室との間に設けられた風路と、前記風路は前記吸込具に対して前記吸込室の前方部分かつ前記回転ブラシの回転中心より前方で開口した開口部と後方部分では吸込具の外部と連通させる開口とからなり、前記開口には密閉、開放自在に可動する調整弁を構成した電気掃除機用吸込具とすることにより、隅にある塵埃を前内壁際まで設けた回転ブラシにより機械的に除去するとともに、吸込室内部の負圧力により開口に設けた調整弁の開放量を調整することで、風路前方の開口部から吸込室内に導入される外気風量を調整し、吸込具が隅部に当接したときに高まる負圧力によって外気風量を上昇させて、回転ブラシの機械力とともに前隅の塵埃を吹飛ばす心配なく前側の塵埃を効率よく集塵することができる。
【０００８】
第２の発明は、特に、第１の発明の開口部を複数個設け、前記開口部にそれぞれ導入できるように風路を分割して有することにより、複数の開口部に各々の風路を形成することで負圧が均等化され、開口部に発生する排気風力を均一化することにより集塵能力を高めることができるので前側の塵埃を効率よく集塵することができる。
【０００９】
第３の発明は、特に、第１の発明または第２の発明の風路の縦断面の形状を吸込具の前方に向かうにつれて狭まるように構成することにより、開口部付近で縦断面積を狭めることでオリフィス効果により風速を向上さて開口部からの吸引風力を高めることができるので前側の塵埃を効率よく集塵することができる。
【００１０】
第４の発明は、特に、第１〜第３の発明のいずれか１つの電気掃除機用吸込具を、掃除機本体が内蔵する吸引風を発生する電動送風機に連通して備えた電気掃除機とすることにより、部屋等の隅々まで塵埃の取り残し無く効率よく集塵することができ、使い勝手の良い電気掃除機を提供することができる。
【００１１】
以下、本発明の実施の形態について、図面を参照しながら説明する。なお、この実施の形態によって本発明が限定されるものではない。
【００１２】
（実施の形態１）
図１は本発明の実施の形態１の吸込具を示す中央縦断面図、図２は同吸込具の上部材を外した平面図、図３は同吸込具を装着した電気掃除機の全体斜視図である。
【００１３】
図１〜図３において、１は吸込具であり吸込具１は電気掃除機２に、ホース３、延長管４を介して接続される。ホース３および延長管４は内部が中空になっており、電気掃除２の後方に配置されている電動送風機５によって内部の空気が吸気、排出されることにより真空状態になり負圧がかかることで吸引風を発生させるものである。
【００１４】
吸込具１の前後方向に対する後方部、略中央付近には前後もしくは左右に回動自在に保持されているパイプ６が設置されている。パイプ６は内部が中空状になっており、一方を電気掃除５と延長管４ないしホース３を介して接続される。他方は吸込具１内部に接続され、吸込具１内部で接続された開口を吸引口７としてある。
【００１５】
一方、吸込具１の底面は下方に開口する吸込口８を有し、吸込口８と吸引口７を繋ぎ、吸込具１内部に形成される空間部を吸込室９として構成されている。吸込室９内部には吸込口８に臨み、かつ吸込室９内側前壁に回転半径が近接する位置に回転自在に軸支された回転ブラシ１０が設けられている。回転ブラシ１０はパイプ６が設置されている左右どちらか、もしくは同軸上に構成された駆動源１１により動力を伝達されて回転運動をするように構成されている。一般的にパイプ６の左右どちらか一方に駆動源１１を配置した場合には、回転ブラシ１０と駆動源１１はベルト１２により張架されている。また、駆動源１１には電動機（モーター）やタービンなどを使用されることが一般的である。
【００１６】
吸込具１の内側天面と吸込室９の上部に設けられた仕切りとの間に囲まれる空間部を風路１３として設置してある。吸込室９は略円筒状に形成してあり、風路１３も円筒状面に沿うように形成し、風路１３の縦断面形状を吸込具１の前方部に向かって狭まるように形成してある。風路１３は吸込室９と連通できるように吸込室９の前方部に複数の開口を開口部１４として設けてある。開口部１４は回転ブラシ１０の回転軸中心より前方にあり、吸込室９の内側前壁に沿うようにして開口してある。また、開口部１４は吸込具１の長手方向に対して３箇所以上開けることが望ましく、場所は吸込具１の長手方向に対して中央部および左右両端部に形成する。
【００１７】
複数の開口部１４には各々に風路１３が形成されており、吸込具１に対して後方部分にあたる場所で各風路１３が集結されるように形成されている。風路１３は後方部分で一箇所に集められ、各開口部１４に分岐されるように形成されている。
【００１８】
風路１３が集結した先では、吸込具１の天面部には風路１３の集結した近傍に開口し、かつ風路１３と連通するように構成した開口１５が形成されている。これにより、風路１３は開口１５と開口部１４によってひとつの流路を形成する。また、開口１５を閉塞、開放するように動作する調整弁１６が構成されている。一般的に調整弁１６は軸支して、回動によって閉塞、開放するように構成され、下方からバネなどの付勢力によって弁が大気圧以上では閉じており、負圧がかかると開く様な弁自体が上下動作する構造や、薄板のバネ力により同様の動作をさせる構造としているものである（図示せず）。
【００１９】
次に動作、作用について説明すると、電気掃除機２を運転することにより電動送風機５が動き、電動送風機５の前方の空気を吸気し、後方に排出されることにより真空状態になり負圧がかかることで吸引風を発生させる。この負圧はホース３、延長管４を通じて吸込具１に伝えられる。発生した負圧は吸込具１では吸引風となり被掃除面上の塵埃を吸引することができる。
【００２０】
負圧はまずパイプ６を通じて、吸引口７、吸込室９を通して吸込口８に伝達される。主に塵埃は吸込口８から集塵されることになる。
【００２１】
回転ブラシ１０は駆動源１１が電動機であった場合には電気掃除機２より電源の供給を受け回転駆動することができる。また、タービンだった場合には負圧により発生する吸引風によりタービンが駆動して、その動力が伝達される。回転ブラシ１０は回転動作することにより被掃除面を機械力によって掻き出し、磨きの動作を加えて塵埃を集塵するものである。回転ブラシ１０によって集塵された塵埃は吸込室９を通じて吸引されることになる。
【００２２】
一方、発生した負圧は開口部１４を介して風路１３にも伝達される。吸込具１が隅部に当接したとき等、調整弁１６は、風路１３の高まる負圧作用と外気から流入する空気により押し下げられ、開口１５を開放し外気と開口部１４を連通させて外気導入風を発生させる。この外気導入風は開口部１４を介して塵埃の吸込室９内部に流れ込むことにより吸込室９内の負圧は低下して吸着を防ぐとともに、前側にこの外気導入風を当てることで、際まで設けた回転ブラシ１０が機械力で前隅の塵埃を外側に吹飛ばす作用を外気導入風の気流が塵埃を吸込室９側に導く搬送気流となって防ぐことができ、効率よく集塵することができる。特に。吸込具１が隅部に当接したときに高まる負圧力によって調整弁１６の開放量を大きくすることで外気風量を上昇させて搬送気流を強くし、回転ブラシ１０の機械力とともに前隅の塵埃を吹飛ばす心配なく前側の塵埃を効率よく集塵できるものである。
【００２３】
また、吸込室９内部の負圧力により調整弁１６の開放量を調整することで、風路１３前方の開口部１４から吸込室９内に導入される外気風量を調整し、吸込具１が隅部に当接したときに高まる負圧力によって調整弁１６の開放量を大きくし外気風量を上昇させて吸込室９内部の負圧力を下げた後、吸込具１を隅部から離した瞬間、調整弁１６が閉じる方向に動作し、一気に高まった負圧による吸引風により塵埃を強力に集塵し、かつ回転ブラシ１０の機械力も加えることで強力に吸込具１前方の塵埃を集塵することもできるものである。
【産業上の利用可能性】
【００２４】
以上のように、本発明にかかる電気掃除機用吸込具およびそれを用いた電気掃除機電気掃除機は、部屋等の隅々まで塵埃の取り残し無く効率よく集塵することができ、使い勝手が良く、常に快適に掃除を行うことができるもので、家庭用、業務用電気掃除機に広く適用できるものである。
【図面の簡単な説明】
【００２５】
【図１】本発明の実施の形態１における吸込具を示す中央縦断面図
【図２】同吸込具の上部材を外した平面図
【図３】同吸込具を装着した電気掃除機の全体斜視図
【図４】従来の吸込具を示す中央縦断面図
【符号の説明】
【００２６】
１  吸込具
６  パイプ
８  吸込口
９  吸込室
１０  回転ブラシ
１３  風路
１４  開口部
１５  開口
１６  調整弁
【図１】
2008086549.tif 000003
【図２】
2008086549.tif 000004
【図３】
2008086549.tif 000005
【図４】
2008086549.tif 000006